(57)【要約】【課題】消火器の放射ホースを長くしたまま少なくともノズル先端寄りの部分を一定長さに延長固定可能とする。【解決手段】消火器本体と、上端に取り付けられたヘッド部、ヘッド部より消火薬剤を放射するための、先端にノズルを取り付けた長尺の消火ホースからなり、該消火ホースは先端にノズルを取り付けた管状の延長パイプと、該延長パイプの基端部とヘッド部との間に介在されるホースとにより構成され、上記延長パイプの外周側又はホースの外周側に、一端を上記延長パイプの基端部に係合固定可能なスライドパイプを遊嵌させてなる。これにより消火器の緊急使用時にスライドパイプをスライド移動させて一端を延長パイプの基端部に係合固定させるだけで延長パイプ部分をさらに長く延長し、先端ノズル部分を火炎に対してより一層接近させることができ、消火薬剤の放射命中率を向上させて消火効率を向上させるとともに薬剤放射の無駄を無くすことができる。【選択図】図２
2010104539.tif 000002
【特許請求の範囲】
【請求項１】
消火器本体と、その上端に取り付けられたヘッド部と、ヘッド部より消火薬剤を放射するための長尺の消火ホースとからなり、該消火ホースは先端にノズルを取り付けた管状の延長パイプと、該延長パイプの基端部とヘッド部との間に介在されるホースとにより構成され、しかも上記延長パイプの外周側又はホースの外周側に、ホースの長さ方向にスライド移動して一端を上記延長パイプの基端部に係合固定させることが可能なスライドパイプを遊嵌させてなることを特徴としたロングノズル式消火器。
【請求項２】
消火器本体と、その上端に取り付けられたヘッド部と、ヘッド部より消火薬剤を放射するための長尺の消火ホースとからなり、該消火ホースは先端にノズルを取り付けた管状の延長パイプと、該延長パイプの基端部とヘッド部との間に介在されるホースとにより構成され、しかも上記延長パイプの外周側に、延長パイプから消火ホースにかけてホースの長さ方向にスライド移動が可能であって、その先端内径部と延長パイプ基端外径部とが係合固定可能なスライドパイプが遊嵌されていることを特徴としたロングノズル式消火器。
【請求項３】
消火器本体と、その上端に取り付けられたヘッド部と、ヘッド部より消火薬剤を放射するための長尺の消火ホースとからなり、該消火ホースは先端にノズルを取り付けた管状の延長パイプと、該延長パイプの基端部とヘッド部との間に介在されるホースとにより構成され、しかもホース外周面には少なくともその先端が上記延長パイプの基端部に係合固定可能なスライドパイプをホースに沿って移動可能に遊嵌させてなることを特徴としたロングノズル式消火器。
【請求項４】
消火器本体と、その上端に取り付けられたヘッド部と、ヘッド部より消火薬剤を放射するための長尺の消火ホースとからなり、該消火ホースは先端にノズルを取り付けた管状の第１延長パイプと、該第１延長パイプの基端部に先端を接続させた一定長さの中間ホースと、該中間ホースの基端部に先端を接続させた第２延長パイプと、該第２延長パイプの基端部に先端を接続させ、基端をヘッド部に接続させた一定長さのホースとにより構成され、しかも上記第１延長パイプ又は第２延長パイプの外周側に、中間ホースを跨いで第２延長パイプ又は第１延長パイプの端部に係合固定させることが可能なスライドパイプをホースに沿って移動可能に遊嵌させてなることを特徴としたロングノズル式消火器。
【請求項５】
消火器本体と、その上端に取り付けられたヘッド部と、ヘッド部より消火薬剤を放射するための、先端にノズルを取り付けた長尺の消火ホースと、該消火ホースを屈曲固定するための消火ホース固定具とからなり、消火ホースは先端にノズルを取り付けた管状の延長パイプと、該延長パイプの基端部とヘッド部との間に介在されるホースとにより構成され、しかも上記延長パイプの外周側に、延長パイプから消火ホースにかけてスライド移動が可能であって、その先端内径部と延長パイプ基端外径部とが係合固定可能なスライドパイプを遊嵌させてなり、さらに消火ホース固定具は、幅方向両側に延長パイプもしくはホースを、それぞれ保持させることの可能な一対のＣ型ホルダーを、相互に一定の間隔を開けた状態にて取り付けてなることを特徴としたロングノズル式消火器。
【請求項６】
消火器本体と、その上端に取り付けられたヘッド部と、ヘッド部より消火薬剤を放射するための、先端にノズルを取り付けた長尺の消火ホースと、該消火ホースを屈曲固定するための消火ホース固定具とからなり、消火ホースは先端にノズルを取り付けた管状の延長パイプと、該延長パイプの基端部とヘッド部との間に介在されるホースとにより構成され、しかもホース外周面には少なくともその先端が上記延長パイプの基端部に係合固定可能なスライドパイプを消火ホースに沿って移動可能に遊嵌させてなり、さらに消火ホース固定具は、幅方向両側に延長パイプもしくはホースを、それぞれ保持させることの可能な一対のＣ型ホルダーを、相互に一定の間隔を開けた状態にて取り付けてなることを特徴としたロングノズル式消火器。
【請求項７】
消火器本体と、その上端に取り付けられたヘッド部と、ヘッド部より消火薬剤を放射するための長尺の消火ホースと、該消火ホースを屈曲固定するための消火ホース固定具とからなり、消火ホースは先端にノズルを取り付けた管状の第１延長パイプと、該第１延長パイプの基端部に先端を接続させた一定長さの中間ホースと、該中間ホースの基端部に先端を接続させた第２延長パイプと、該第２延長パイプの基端部に先端を接続させ、基端をヘッド部に接続させた一定長さのホースとにより構成され、しかも上記第１延長パイプ又は第２延長パイプの外周側に、中間ホースを跨いで第２延長パイプ又は第１延長パイプの端部に係合固定させることが可能なスライドパイプをホースに沿って移動自在に遊嵌させてなり、さらに消火ホース固定具は、幅方向両側に延長パイプもしくはホースを、それぞれ保持させることの可能な一対のＣ型ホルダーを、相互に一定の間隔を開けた状態にて取り付けてなることを特徴としたロングノズル式消火器。
【請求項８】
消火ホース固定具の幅方向中間部には、該固定部を消火ホースの基端寄りの部分に保持させることが可能なＣ型ホルダーを取り付けてなるところの請求項５から請求項７の何れか１に記載のロングノズル式消火器。
【発明の詳細な説明】
【技術分野】
【０００１】
本発明は、消火器の放射ホースを長くし、先端にノズルを取り付けた延長パイプ部分をさらに一定長さ延長固定可能とすることによって消火活動を容易かつ確実にし、また不使用時においては長尺のノズルを消火器本体にコンパクトに屈曲保持させるようにし、特に塵芥収集車積載に最適な構成としたものである。
【背景技術】
【０００２】
液体の散布用として用いられる容器あるいはスプレー装置の噴射ノズルを長くして使い勝手を良好にするようにしたものとしては、例えば先端にシャワーキャップを取り付けたチューブを伸縮自在とした伸縮ノズル付簡易如雨露容器が知られている（実用新案登録第３０３５５３３号公報参照）。またノズルを伸縮自在とした空圧式携帯洗浄具なども知られている（実用新案登録第３０８１５３１号公報参照）。
【特許文献１】実用新案登録第３０３５５３３号公報
【特許文献２】実用新案登録第３０８１５３１号公報
【発明の開示】
【発明が解決しようとする課題】
【０００３】
しかしながら上記した特許文献１に記載された発明は、チューブの伸縮についてチューブの一端をノズルベース内にスライドさせる構成であるために、チューブ長さの伸縮の程度に限界があり、また特許文献２に記載された発明にあっては、ノズルがジョイント接続による伸縮ノズルであるためにノズルをいちいち継ぎ足す必要があり、使い勝手の面ではあまり良好ではない。
【０００４】
一方消火器の分野においては汎用の一般的手提げタイプの小型消火器を用いる場合に、消火薬剤放射に際してノズルを上記した特許文献１・２のような構成とすることは、緊急時の用途に用いる場合に大きな障害となり、上記した在来の構成を採用することはできない。
【課題を解決するための手段】
【０００５】
そこで本発明にあっては、消火器の放射用ホースを長くするとともに、先端にノズルを取り付けた延長パイプ部分をさらに一定長さ延長固定可能とすることによって火炎とノズルの距離をより一層接近させて放射命中度を向上させ、消火薬剤放射量の無駄をなくし、また消火器本体の起動レバーを起動させた後は、消火器本体を床に置いたままで延長パイプの基部だけを持ち、消火活動を容易かつ確実に実施することができるようにしたものである。
【０００６】
また本発明は、消火器の放射用ホースおよび長尺ノズルについて、不使用時においてはこれらを消火器本体にコンパクトに屈曲保持させることができるようにし、特に塵芥収集車積載に最適な構成としたものである。具体的には消火器本体と、その上端に取り付けられたヘッド部と、ヘッド部より消火薬剤を放射するための、先端にノズルを取り付けた長尺の消火ホースとからなり、該消火ホースは先端にノズルを取り付けた管状の延長パイプと、該延長パイプの基端部とヘッド部との間に介在されるホースとにより構成され、しかも上記延長パイプの外周側又はホースの外周側に、ホースの長さ方向にスライド移動して一端を上記延長パイプの基端部に係合固定させることが可能なスライドパイプを遊嵌させてなることを特徴としたロングノズル式消火器に関する。
【０００７】
また本発明は、消火器本体と、その上端に取り付けられたヘッド部と、ヘッド部より消火薬剤を放射するための長尺の消火ホースとからなり、該消火ホースは先端にノズルを取り付けた管状の延長パイプと、該延長パイプの基端部とヘッド部との間に介在されるホースとにより構成され、しかも上記延長パイプの外周側に、延長パイプから消火ホースにかけてスライド可能であって、その先端内径部と延長パイプ基端外径部とが係合固定可能なスライドパイプが遊嵌されていることを特徴としたロングノズル式消火器に関する。
【０００８】
さらに本発明は、消火器本体と、その上端に取り付けられたヘッド部と、ヘッド部より消火薬剤を放射するための長尺の消火ホースとからなり、該消火ホースは先端にノズルを取り付けた管状の延長パイプと、該延長パイプの基端部とヘッド部との間に介在されるホースとにより構成され、しかもホース外周面には少なくともその先端が上記延長パイプの基端部に係合固定可能なスライドパイプを消火ホースに沿って移動可能に遊嵌させてなることを特徴としたロングノズル式消火器に関する。
【０００９】
さらに本発明は、消火器本体と、その上端に取り付けられたヘッド部と、ヘッド部より消火薬剤を放射するための長尺の消火ホースとからなり、該消火ホースは先端にノズルを取り付けた管状の第１延長パイプと、該第１延長パイプの基端部に先端を接続させた一定長さの中間ホースと、該中間ホースの基端部に先端を接続させたところの基端にグリップを有する第２延長パイプと、該第２延長パイプの基端部に先端を接続させ、基端をヘッド部に接続させた一定長さのホースとにより構成され、しかも上記第１延長パイプ又は第２延長パイプの外周側に、中間ホースを跨いで第２延長パイプ又は第１延長パイプの端部に係合固定させることが可能なスライドパイプをホースに沿って移動自在に遊嵌させてなることを特徴としたロングノズル式消火器に関する。
【００１０】
さらに本発明は、消火器本体と、その上端に取り付けられたヘッド部と、ヘッド部より消火薬剤を放射するための、先端にノズルを取り付けた長尺の消火ホースと、該消火ホースを屈曲固定するための消火ホース固定具とからなり、消火ホースは先端にノズルを取り付けた管状の延長パイプと、該延長パイプの基端部とヘッド部との間に介在されるホースとにより構成され、しかも上記延長パイプの外周側に、延長パイプから消火ホースにかけてスライド移動が可能であって、その先端内径部と延長パイプ基端外径部とが係合固定可能なスライドパイプを遊嵌させてなり、さらに消火ホース固定具は、幅方向片側に消火ホースを、また反対側に延長パイプど同軸のスライドパイプをそれぞれ保持させることの可能な一対のＣ型ホルダーを、相互に一定の間隔を開けた状態にて取り付けてなることを特徴としたロングノズル式消火器に関する。
【００１１】
さらに本発明は、消火器本体と、その上端に取り付けられたヘッド部と、ヘッド部より消火薬剤を放射するための、先端にノズルを取り付けた長尺の消火ホースと、該消火ホースを屈曲固定するための消火ホース固定具とからなり、消火ホースは先端にノズルを取り付けた管状の延長パイプと、該延長パイプの基端部とヘッド部との間に介在されるホースとにより構成され、しかもホース外周面には少なくともその先端が上記延長パイプの基端部に係合固定可能なスライドパイプを消火ホースに沿って移動可能に遊嵌させてなり、さらに消火ホース固定具は、幅方向片側にスライドパイプを、また反対側に延長パイプをそれぞれ保持させることの可能な一対のＣ型ホルダーを、相互に一定の間隔を開けた状態にて取り付けてなることを特徴としたロングノズル式消火器に関する。
【００１２】
さらに本発明は、消火器本体と、その上端に取り付けられたヘッド部と、ヘッド部より消火薬剤を放射するための長尺の消火ホースと、該消火ホースを屈曲固定するための消火ホース固定具とからなり、消火ホースは先端にノズルを取り付けた管状の第１延長パイプと、該第１延長パイプの基端部に先端を接続させた一定長さの中間ホースと、該中間ホースの基端部に先端を接続させたところの基端にグリップを有する第２延長パイプと、該第２延長パイプの基端部に先端を接続させ、基端をヘッド部に接続させた一定長さのホースとにより構成され、しかも上記第１延長パイプ又は第２延長パイプの外周側に、中間ホースを跨いで第２延長パイプ又は第１延長パイプの端部に係合固定させることが可能なスライドパイプを遊嵌させてなり、さらに消火ホース固定具は、幅方向片側にスライドパイプを、また反対側に延長パイプをそれぞれ保持させることの可能な一対のＣ型ホルダーを、相互に一定の間隔を開けた状態にて取り付けてなることを特徴としたロングノズル式消火器に関する。
【００１３】
また本発明は、消火ホース固定具の幅方向中間部には、該固定部を消火ホースの基端寄りの部分に保持させることが可能なＣ型ホルダーを取り付けてなるところの、上記した各ロングノズル式消火器の構造にも関する。
【発明の効果】
【００１４】
本発明は上記したように、消火器のヘッド部より消火薬剤を放射するための、先端にノズルを取り付けた長尺の消火ホースが、先端にノズルを取り付けた管状の延長パイプと、該延長パイプの基端部とヘッド部との間に介在されるホースとにより構成され、しかも上記延長パイプの外周側に、延長パイプからホースにかけてスライド可能であって、その先端内径部と延長パイプ基端外径部とが係合固定可能なスライドパイプが遊嵌され、あるいは先端にノズルを取り付けた管状の延長パイプと、該延長パイプの基端部とヘッド部との間に介在されるホースとにより構成され、しかもホース外周面には少なくともその先端が上記延長パイプの基端部に係合固定可能なスライドパイプを消火ホースに沿って移動可能に遊嵌させてなるものであるために、消火器の緊急使用時においてスライドパイプをスライドさせて一端を延長パイプの基端部に係合固定させるだけで延長パイプ部分をさらに延長して先端ノズル部分を火炎に対してより一層接近させることができ、消火薬剤の放射の命中率を向上させて、消火効率を向上させるとともに薬剤放射の無駄を無くすことができる。
【００１５】
また長尺の消火ホースが、先端にノズルを取り付けた管状の第１延長パイプと、該第１延長パイプの基端部に先端を接続させた一定長さの中間ホースと、該中間ホースの基端部に先端を接続させたところの基端にグリップを有する第２延長パイプと、該第２延長パイプの基端部に先端を接続させ、基端をヘッド部に接続させた一定長さのホースとにより構成され、しかも上記第１延長パイプ又は第２延長パイプの外周側に、中間ホースを跨いで第２延長パイプ又は第１延長パイプの端部に係合固定させることが可能なスライドパイプを遊嵌させてなるものであるために、消火器の緊急使用時において第１延長パイプに重ねたスライドパイプをスライドさせてその基端を第２延長パイプの先端部に係合固定させ、あるいは第２延長パイプに重ねたスライドパイプをスライドさせてその先端を第１延長パイプの基端部に係合固定させることにより、延長パイプ部分をさらに長く延長し、先端ノズル部分を火炎に対してより一層接近させて消火薬剤放射の命中率をより一層向上させることができる。
【００１６】
また消火時において、消火器本体の起動レバーを操作して起動させた後は、消火器本体を床上に置いたままの状態で延長パイプの基端部に係合一体化されたスライドパイプの基端部を持っただけでノズル部分を火炎部に近づけて効率よく消火活動をおこなうことができる。
【００１７】
さらに幅方向片側に消火ホースあるいはスライドパイプを、また反対側に延長パイプをそれぞれ保持させることの可能な一対のＣ型ホルダーを、相互に一定の間隔を開けた状態にて取り付けた消火ホース固定具を備えた場合においては、不使用時に長尺の消火ホースあるいはスライドパイプおよび延長パイプ等を消火器本体にコンパクトに屈曲保持させることができるため、特に塵芥収集車車載用消火器としても最適である。
【００１８】
さらに消火ホース固定具の幅方向中間部に、該固定部をホースの基端寄りの部分に保持させることが可能なＣ型ホルダーを取り付けてなる場合においては、消火ホース固定具自体を消火器本体に近いホースの基部付近に固定することができるために、ホースおよび延長パイプないしスライドパイプを、より一層纏まりよく消火器本体に安定的に保持させることができる。
【発明を実施するための最良の形態】
【００１９】
以下において本発明の具体的な内容を図示の実施例をもとに説明をする。図において１は消火器本体、２は消火器本体１の上端に取り付けられたヘッド部、９はヘッド部２より消火薬剤を放射するための長尺の消火ホース、２０は消火ホース９を屈曲固定するための消火ホース固定具をあらわしている。消火器本体１は内部に消火薬剤が充填されているとともに、その上端開口部にはキャップ３の螺合によりヘッド部２が取り付けられ、内部を密閉状態にして内部に小型のガスボンベを装填し、消火器の使用時においてはガスボンベの封板を開封して加圧することにより内部の消火薬剤をヘッド部２から消火ホース９へと放出する。また消火器本体１の内部に圧力ガスを蓄圧し、使用時においてこの蓄圧ガスにより消火薬剤を加圧してヘッド部２から消火ホース９へと放出するようにしてもよい。
【００２０】
なおこの場合には小型のガスボンベに代えて消火器本体内に圧力ガスを蓄圧してもよい。ヘッド部２は上記した消火器本体１の内部に挿通されしかもその先端が略消火器本体１の内底部近くに達するサイフォン管４を有し、さらに弁棒５、指示圧力計６が取り付けられ、さらにその上方には消火器の保持および起動用のレバー７が取り付けられている。また８は消火器本体の管胴部外周面に取り付けられたブラケットをあらわしている。
【００２１】
ヘッド部２より消火薬剤を放射するための消火ホース９は、一般的に汎用されている小型の消火器のものに比して全体が長尺であり、図４、図５および図８に示したように先端にノズル１１を取り付けた管状の第１延長パイプ１０と、該第１延長パイプ１０の基端部に接続金具１４を介して先端を接続させた一定長さの中間ホース１２と、該中間ホース１２の基端部に接続金具１２ａを介して先端を接続させたところの基端にグリップ１７を有する第２延長パイプ１６と、該第２延長パイプ１６の基端部に同じく接続金具１８ｂを介して先端を接続させ、基端を接続金具１８ａおよび締め付けネジ１９を介してヘッド部２に接続させた一定長さのホース１８とにより構成されている。
【００２２】
さらに上記第１延長パイプ１０の外周側には、中間ホース１２を跨いで第２延長パイプ１６方向にスライド移動が可能であり、第２延長パイプ１６の端部はめあい軸１３に係合固定させることが可能なスライドパイプ１５を遊嵌させてある。なおこの場合のスライドパイプ１５については第２延長パイプ１６の外周側に遊嵌させ、これを中間ホース１２を跨いで第１延長パイプ方向にスライド移動して第１延長パイプの端部に係合固定させるようにしてもよい。なお図において２０はスライドパイプ１５の抜け止め防止兼先端保護のためのゴム材、２３は第１延長パイプ１０のブレ規制軸をあらわしている。
【００２３】
上記した第１延長パイプ１０、第２延長パイプ１６、スライドパイプ１５の材質については一般的には軽量でかつ強度のあるアルミニウムの使用が好適であるが、他の金属またはプラスチック等の樹脂材であってもよい。
【００２４】
また消火ホース固定具２０は図７にあらわしたように、方形の鋼板左右端部をそれぞれ直角同一方向に折り曲げて、それぞれの折り曲げ片２０ａ、２０ｂの上下端にＣ型ホルダー２１が取り付けられており、これにより消火ホース固定具２０の幅方向両側に、延長パイプをそれぞれ保持させることの可能な一対のＣ型ホルダー２１を、相互に一定の間隔を介して取り付けてある。
【００２５】
なおこの場合における一対のＣ型ホルダー２１・２１間の一定の間隔とは、長尺の消火ホース９を屈曲折り返した際に経年使用によりホースの屈曲部分にひび割れ等の不具合が生じない過度を意味している。なお消火ホース固定具２０の材質については必ずしも鋼板に限られるものではなく、プラスチック等の樹脂材であってもよい。さらに消火ホース固定具２０の幅方向中間部には、該固定具２０を消火ホース９の基端寄りのホース１８部分に保持させることが可能なＣ型ホルダー２２を取り付けてある。なお２１ａ・２２ａは、各Ｃ型ホルダーの取付固定具をあらわしている。
【００２６】
上記した消火ホース固定具２０の構成において消火ホース９の固定の一例を示すと、図８のようにまずホース１８の取付基部寄り、すなわち締め付けネジ１９によってヘッド部２に接続させたホースの基部寄りの箇所の外周部分に中間部のＣ型ホルダー２２をもって鋏持させることにより消火ホース固定具２０を固定させ、片側のＣ型ホルダー２１にホース１８で折り返した第２延長パイプ１６の外周胴部を鋏持させるとともに、中間ホース１２で折り返した第１延長パイプ１０の外周胴部を鋏持させて纏まりよく消火器本体に安定的に保持させる（図１〜３および図９参照）。
【００２７】
さらに消火器の使用時においては、片側のＣ型ホルダー２１より第１延長パイプ１０をはずし、次いで反対側のＣ型ホルダー２１より第２延長パイプ１６をはずした後、消火ホース９の全体を引き延ばしてから図５にあらわしたように、第１延長パイプ１０に重なっているスライドパイプ１５を中間ホース１２のほうにスライド移動させ、中間ホース１２を跨いで第２延長パイプ１６の端部はめあい軸１３に係合固定させることにより第１延長パイプ１０と第２延長パイプ１６とを直線状に一体化することができる。
【００２８】
かかる状態において第２延長パイプ１６の基部付近を持ち、あるいはグリップ１７を握って先端ノズル１１を火炎に向け、消火器のヘッド部２に有するレバー７を操作して消火活動を開始する。
【００２９】
また図６には本発明における消火ホース９の別の実施例があらわされている。これはスライドパイプ１５を第１延長パイプ１０側ではなく第２延長パイプ１６に重ね合わせておく構成としたものであって、この場合においては（Ａ）の状態において第２延長パイプ１６に重なっているスライドパイプ１５を中間ホース１２のほうにスライド移動させ、中間ホース１２を跨いで第１延長パイプ１０の端部はめあい軸１０ａに係合固定させることにより（Ｂ）のように第１延長パイプ１０と第２延長パイプ１６とを直線状に一体化することができる。
【００３０】
さらに上記の実施例においては消火ホース９における先端のノズル１１部分について、第１延長パイプ１０のほかに中間ホース１２を介して第２延長パイプ１６を備え、この両者間にスライドパイプ１５をスライド移動させて両パイプ１０・１６を一体化させる構成としたが、先端にノズル１１を取り付けた管状の延長パイプと、該延長パイプの基端部とヘッド部２との間に介在されるホース１８とにより構成され、しかも上記延長パイプの外周側又はホースの外周側に、一端を上記延長パイプの基端部に係合固定させることが可能なスライドパイプ１５を遊嵌させただけの構成とし、使用時においてスライドパイプ１５をスライド移動して上記延長パイプをさらに長くすることができるように構成してもよい。
【００３１】
また上記の各実施例における延長パイプの基端部とスライドパイプの先端部との固定手段としては、はめあい軸に代えて相互に周方向に回転させながら嵌め込む螺旋式であってもよい。
【図面の簡単な説明】
【００３２】
【図１】本発明の実施例であるロングノズル式消火器の一部を破断してあらわした正面図。
【図２】図１にあらわした消火器の左側面図。
【図３】図１にあらわした消火器の平面図。
【図４】本発明に係る消火ホースの全体を中間各部を省略してあらわした部分断面図。
【図５】本発明に係る消火ホースの全体をあらわした操作説明図。
【図６】本発明に係る消火ホースの別の実施例をあらわした操作説明図。
【図７】本発明において用いられる消火ホース固定具の正面図（Ａ）、平面図（Ｂ）、背面図（Ｃ）、左側面図（Ｄ）。
【図８】本発明に係る消火ホースに消火ホース固定具を取り付けた状態をあらわした全体構成図。
【図９】図８の状態において、消火ホース固定具に消火ホースを固定させた状態をあらわした正面図。
【符号の説明】
【００３３】
１      消火器本体
２      ヘッド部
３      キャップ
４      サイフォン管
５      弁棒
６      指示圧力計
７      レバー
８      ブラケット
９      消火ホース
１０      第１延長パイプ
１０ａ    はめあい軸
１１      ノズル
１２      中間ホース
１２ａ    接続金具
１３      はめあい軸
１４      接続金具
１５      スライドパイプ
１６      第２延長パイプ
１７      グリップ
１８      ホース
１８ａ    接続金具
１８ｂ    接続金具
１９      締め付けネジ
２０      消火ホース固定具
２０ａ    折り曲げ片
２０ｂ    折り曲げ片
２１      Ｃ型ホルダー
２１ａ    Ｃ型ホルダーの取付固定具
２２      Ｃ型ホルダー
２２ａ    Ｃ型ホルダーの取付固定具
２３      ブレ規制軸
【図１】
2010104539.tif 000003
【図２】
2010104539.tif 000004
【図３】
2010104539.tif 000005
【図４】
2010104539.tif 000006
【図５】
2010104539.tif 000007
【図６】
2010104539.tif 000008
【図７】
2010104539.tif 000009
【図８】
2010104539.tif 000010
【図９】
2010104539.tif 000011